(57)【要約】【課題】ビデオデータ、オーディオデータ、若しくは数値データの復号に必要なパケットデータのエラー訂正能力を高くすることが可能となり、この結果、伝送データの信頼性が向上する。【解決手段】トランスポートストリームの第１の種類の所定のパケットのダミーデータ領域をリードソロモン符号化して第１のリードソロモン符号化データとして出力する第１の符号化部と、前記トランスポートストリームの第２の種類の所定のパケットのダミーデータ領域とスタッフィングデータ領域をリードソロモン誤り訂正符号化して第２のリードソロモン符号化データとして出力する第２の符号化部と、前記第２の種類の所定のパケットの場合には、前記第２のリードソロモン符号化データを出力することを特徴とする伝送装置。【選択図】図２
2011109316.tif 000002
【特許請求の範囲】
【請求項１】
映像信号を圧縮符号化しトランスポートストリームとして出力するエンコーダ、前記トランスポートストリームをリードソロモン誤り訂正符号化する誤り訂正符号化器、及び、前記リードソロモン誤り訂正符号化されたデータを伝送路を介して送信する送信部とを有し、
前記誤り訂正符号化器は、トランスポートストリームの第１の種類の所定のパケットのダミーデータ領域をリードソロモン符号化して第１のリードソロモン符号化データとして出力する第１の符号化部と、前記トランスポートストリームの第２の種類の所定のパケットのダミーデータ領域とスタッフィングデータ領域をリードソロモン誤り訂正符号化して第２のリードソロモン符号化データとして出力する第２の符号化部と、前記第１のリードソロモン符号化データをから前記第２の種類の所定のパケットであるか否かを検出する第１の検出部と、前記第１の検出部が前記第２の種類の所定のパケットを検出した場合には、前記第２のリードソロモン符号化データを出力し、前記第１の検出部が前記第２の種類の所定のパケットを検出しなかった場合には、前記第１のリードソロモン符号化データを出力する第１の切替部とを備えたことを特徴とする伝送装置。
【発明の詳細な説明】
【技術分野】
【０００１】
本発明はトランスポートストリームをデジタル伝送する伝送装置に関わり、特に、誤り訂正技術に関する。
【背景技術】
【０００２】
近年、映像や音声信号をデジタル信号化した後、ＭＰＥＧ処理によりデータ圧縮し、デジタルデータを伝送可能な変調器や復調器で伝送する技術が多用されている。その伝送装置の構成の一例を図５に示し、以下説明する。１ＴはＭＰＥＧエンコーダ、２はＤＶＢ−ＥＮＣ（ Digital Video Broadcasting−Encoder ）、３Ｔは変調部（ＭＯＤ）、４−１は送信高周波部（Ｔｈ）、４−２は送信アンテナ、５は伝送路、６−１は受信アンテナ、６−２は受信高周波部（Ｒｈ）、３Ｒは復調部（ＤＥＭ）、８はＤＶＢ−ＤＥＣ Digital Video Broadcasting−decoder ）、２ＲはＭＰＥＧデコーダである。
図５は、例えば、ＦＰＵ（ Field Pickup Unit ）、ＳＴＬ（ Studio to Transmitter Link ）、ＴＳＬ（ Transmitter to Studio Link ）、ＴＴＬ（ Transmitter to Transmitter Link ）等のＭＰＥＧ２のＴＳ伝送装置として使用される。
【０００３】
図５の送信側において、映像信号はＭＰＥＧエンコーダ１Ｔに入力され、圧縮データとなる。この圧縮データの構成は、８ビットを１ワードとした１８８ワードを単位とする多数個のパケットから構成されるトランスポートストリーム（ Transport Stream 、以後、ＴＳと称する）信号と呼ぶ形態となる。ＴＳ信号は、複数種類のパケットと呼ばれる信号に分けられて伝送される。例えば、ＴＳパケット（ＴＳＰ）は、先頭が４７ｈコード（同期バイト）で開始され、以降の１８７ワードには主として圧縮情報が含まれるが、以下に示す他の情報を持つパケットもある（例えば、特許文献１参照。）。そして、それぞれのパケット毎に、送信側でリードソロモン（ＲＳ：Reed−Solomon ）訂正符号化され、受信側でＲＳ復号される。
１）複数のストリームが混在する場合の名札に相当する１３ビットからなるＰＩＤ（ Packet ID ：パケット識別子）情報。
２）ＴＳ信号の順序を示す４ビットからなる巡回カウンタ値。
３）復号の時間タイミングを示す４２ビットからなるＰＣＲ（ Program Clock Reference ）信号。
このＴＳ信号は、ＤＶＢ−ＥＮＣ２に入力され、ＤＶＢ（ Digital Video Broadcasting ）処理を施されＤＶＢｅ信号となる。このＤＶＢｅ信号は、変調部３Ｔにより、例えばＯＦＤＭ変調され、１３０ＭＨｚ帯の中間周波数であるＩＦｔ信号となる。この１８０ＭＨｚ帯のＩＦ信号は、送信高周波部４−１に送られ、マイクロ波帯の信号に変換された後、電力増幅される。そして、送信アンテナ４−２から電波として放射される。
【０００４】
放射された電波は、伝送路５を経由して、受信アンテナ６−１に到達する。なお、伝送路５の状態においては、電波の強さも距離に応じて減衰するため雑音等も混入してしまう。
図５の受信側において、受信アンテナ６−１により収集された電波は、受信高周波部６−２に入力され、増幅された後に、中間周波数である１３０ＭＨｚ帯に周波数変換され、１３０ＭＨｚ帯のＩＦ信号として出力される。この１３０ＭＨｚ帯のＩＦｒ信号は、復調部３Ｒに入力され、変調と同一の処理に対応するＯＦＤＭ復調が行われ、ＤＶＢｒ信号として出力される。
このＤＶＢｒ信号は、ＤＶＢ−ＤＥＣ８に入力され、ＴＳｒ信号となって、元のトランスポート信号に戻される。ＭＰＥＧデコーダ２Ｒは、このＴＳｒ信号を伸張処理し、元の映像信号を出力する。
【０００５】
図６に、ＤＶＢ−ＥＮＣ２の具体的な構成の一例を示し、簡単に説明する。図６は、従来のＤＶＢ−ＥＮＣの構成の一例を示すブロック図である。２−１はＢ８ｈ置換部、２−２はエネルギー拡散部、２−３はリードソロモン（ＲＳ）符号化部、２−４はインタリーブ部である。
図６において、入力されるＴＳ信号は、Ｂ８ｈ置換部２−１で先頭ワード４７ｈがＢ８ｈに置換され、エネルギー拡散部２−２でエネルギー拡散処理され、ＲＳ符号化部２−３でエラー訂正用パリティ情報を１６ワード付加され（リードソロモン符号化され）る。なお、この処理により、ＴＳ信号は２０４ワード構成となる。そして、インタリーブ部２−４でエラー訂正を効果的に行わせるためのデータ順序並べ替えであるインタリーブ処理が行われる。
なお、前述のエネルギー拡散処理は、２０４ワード×８個を周期とするため、その基準として、ＴＳ信号の先頭ワード４７ｈをＢ８ｈに変換する。
【０００６】
図７に、ＤＶＢ−ＤＥＣ８の具体的な構成の一例を示し、簡単に説明する。図７は、従来のＤＶＢ−ＤＥＣの構成の一例を示すブロック図である。８−１は４７ｈ検出部、８−２は逆インタリーブ部、８−３はＲＳ（リードソロモン）訂正部、８−４はエネルギー逆拡散部である。
図７において、入力されたＤＶＢｒ信号は、４７ｈ検出部８−１で先頭ワード４７ｈが検出され、この４７ｈを基準とし、逆インタリーブ部８−２でデータ順序並べ替えを元に戻す逆インタリーブ処理され、ＲＳ訂正部８−３でリードソロモン誤り訂正され、エネルギー逆拡散部８−４でエネルギー逆拡散の処理が行われ、元のＴＳ信号となる。
なお、ここで行う誤り訂正は、付加パリティ数の半分の８ワードまでのエラーであれば、元の正しいワードに訂正できる。しかし、誤りワード数が９ワード以上の場合、訂正不能となり、エラーは残留する。さらにエラー数が多い状態になると、訂正不能であることを認識できず、誤訂正を行う。すなわち、エラーの存在したワードを放置するばかりでなく、エラーの無かった正しい値のワードまでを誤った値に誤訂正する。結果的に、元の状態よりもエラーの個数を増加させてしまう。
【０００７】
ここで、ＲＳ訂正の概念について簡単に述べる。ＲＳ訂正は、１６ワードのパリティを与えた場合、８つの誤りの位置８個とその値８個を算出できるため、場所不明の８個のエラーを訂正できる。すなわち、付加したパリティ数の半分のエラーに対し、その位置と誤った値を算出できる。パリティの数だけ方程式を作れるため、方程式の数だけの未知数を求めることができる。パリティの数１６だけ方程式を作れるので、１６個の未知数が求められる。ただし、検算に用いる式が無くなるため、多くのエラーが混入した場合、誤訂正を検出できない頻度が増加する。訂正の数を減らせば、一部の式を検算に用いることができ、誤訂正が発生する頻度は低下させられる。ＲＳ訂正は、訂正能力をフル活用しなければ、エラー数を誤認する頻度を低減できる。
【先行技術文献】
【特許文献】
【０００８】
【特許文献１】特開２００８−２４５０５０号公報
【発明の概要】
【発明が解決しようとする課題】
【０００９】
上述の従来技術の伝送装置では、送信側は、送信されるＴＳ信号の各種のパケットに対して、同一の訂正符号化を行い、受信側でも同一の復号をしていた。しかし、、本来伝送すべきデータが、ビデオデータ、オーディオデータ、若しくは数値データのパケットであったとしても、それらを復号するために必要なパケットが復号できなければ、上記のビデオデータ、オーディオデータ、若しくは数値データが受信されても復号できない。
本発明の伝送装置は、上記の問題を鑑み、上記のビデオデータ、オーディオデータ、若しくは数値データの復号に必要である重要なパケットデータ、例えば、ＰＡＴパケット、ＰＭＴパケット、及びＰＣＲパケットのエラー訂正能力を高くすることを目的とする。
【課題を解決するための手段】
【００１０】
上記課題を解決するため、本発明の伝送装置の送信装置は、映像信号を圧縮符号化しトランスポートストリームとして出力するエンコーダ、前記トランスポートストリームをリードソロモン誤り訂正符号化する誤り訂正符号化器、及び、前記リードソロモン誤り訂正符号化されたデータを伝送路を介して送信する送信部とを有し、
前記誤り訂正符号化器は、トランスポートストリームの第１の種類の所定のパケットのダミーデータ領域をリードソロモン符号化して第１のリードソロモン符号化データとして出力する第１の符号化部と、前記トランスポートストリームの第２の種類の所定のパケットのダミーデータ領域とスタッフィングデータ領域をリードソロモン誤り訂正符号化して第２のリードソロモン符号化データとして出力する第２の符号化部と、前記第１のリードソロモン符号化データをから前記第２の種類の所定のパケットであるか否かを検出する第１の検出部と、前記第１の検出部が前記第２の種類の所定のパケットを検出した場合には、前記第２のリードソロモン符号化データを出力し、前記第１の検出部が前記第２の種類の所定のパケットを検出しなかった場合には、前記第１のリードソロモン符号化データを出力する第１の切替部とを備えたものである。
好ましくは、上記発明の伝送装置の前記第２の種類の所定のパケットは、ＰＳＩパケット若しくはＰＣＲパケットである。またＰＳＩパケットは、好ましくは、ＰＡＴパケット若しくはＰＭＴパケットである。
また好ましくは、上記発明の伝送装置の誤り訂正符号化器は、前記第１のリードソロモン符号化データを所定量遅延させて出力する第１の遅延部を備え、前記第１のリードソロモン符号化データと前記第２のリードソロモン符号化データとを同期させたものである。
さらに好ましくは、上記発明の伝送装置の前記エンコーダは、ＭＰＥＧ２形式のエンコーダである。
【００１１】
本発明の伝送装置の受信装置は、前記伝送路を介して送信されたデータを受信する受信部、前記受信されたデータを復号する復号化器、及び、前記復号されたデータをデコードするデコーダとを有し、
前記復号化器は、前記受信されたデータの前記ダミー領域をパリティワード領域として参照し、本領域のデータをリードソロモン誤り訂正復号化して第１のリードソロモン復号化データとして出力する第１の誤り訂正復号化部と、前記受信されたデータの前記ダミー領域とスタッフィングデータとをパリティワード領域として参照し、本領域のデータをリードソロモン誤り訂正復号化して第２のリードソロモン復号化データとして出力する第２の誤り訂正復号化部と、前記第１のリードソロモン復号化データの誤り訂正したワード数が８以下であるか否かを検出する第２の検出部と、前記第２の検出部が前記第１のリードソロモン復号化データの誤り訂正したワード数が８以下であると判定した場合には、前記第１のリードソロモン復号化データを出力する第２の切替部とを備えたものである。
好ましくは、前記第２の検出部は、前記第１のリードソロモン復号化データの誤り訂正したワード数が８超であると判定した場合には、前記第２のリードソロモン復号化データの誤り訂正したワード数が５５以下であるか否かを判定し、前記第２の切替部は、前記第２の検出部が前記第２のリードソロモン復号化データの誤り訂正したワード数が５５以下であると判定した場合には、前記第２のリードソロモン復号化データを出力するものである。
好ましくは、上記発明の伝送装置の誤り訂正復号化器は、前記第１のリードソロモン復号化データを所定量遅延させて出力する第２の遅延部を備え、前記第１のリードソロモン復号化データと前記第２のリードソロモン復号化データとを同期させたものである。
【００１２】
なお、本発明は伝送装置に限らず、送信装置若しくは受信装置、または、伝送方法若しくは送信方法や受信方法として適用可能であり、さらには、送信装置及び受信装置を複数運用する伝送システムとしても適用可能である。
【発明の効果】
【００１３】
本発明によれば、ビデオデータ、オーディオデータ、若しくは数値データの復号に必要である重要なパケットデータ、例えば、ＰＡＴパケット、ＰＭＴパケット、及びＰＣＲパケットのエラー訂正能力を高くすることができる。
【図面の簡単な説明】
【００１４】
【図１】本発明における伝送装置の一実施例の構成を示すブロック図である。
【図２】本発明の伝送装置の符号化器と復号化器の一実施例の構成を示すブロック図である。
【図３】ＲＳ符号化器によってパリティワードを付加した後のＴＳパケットの構成図である。
【図４】ＴＳ信号と各種パケットを説明するための図である。
【図５】従来の伝送装置の全体構成の一例を示すブロック図である。
【図６】従来のＤＶＢ−ＥＮＣの構成の一例を示すブロック図である。
【図７】従来のＤＶＢ−ＤＥＣの構成の一例を示すブロック図である。
【発明を実施するための形態】
【００１５】
本発明の実施の形態を、図１によって説明する。図１は、本発明における伝送装置の一実施例の構成を示すブロック図である。図１（ａ）は送信装置、図１（ｂ）は受信装置である。１０１はエンコーダ、１０２はＲＳ符号化器、１０３は送信部、１０６は受信部、１０７は復号化器、１０８はデコーダである。なお、エンコーダ１０１は、例えば、ＭＰＥＧ２形式のエンコーダであり、デコーダ１０８は、ＭＰＥＧ２形式のデコーダである。
図１の伝送装置は、例えば、ＦＰＵ（ Field Pickup Unit ）、ＳＴＬ（ Studio to Transmitter Link ）、ＴＳＬ（ Transmitter to Studio Link ）、ＴＴＬ（ Transmitter to Transmitter Link ）等のＭＰＥＧ２のＴＳ伝送装置として使用される。
【００１６】
図１（ａ）の送信装置において、エンコーダ１０１は、入力され映像信号をＭＰＥＧ２形式等で圧縮符号化し、圧縮データ（ＴＳパケット）として、ＲＳ符号化器１０２に出力する。
ＲＳ符号化器１０２は、入力された圧縮データをＲＳ符号化して、送信部１０３に出力する。送信部１０３は、入力されたＲＳ符号化データを、送信可能な映像信号に変換し、伝送路を介して送信する。
図１（ｂ）の受信装置において、受信部１０６は、伝送路を介して送信された映像信号を受信して、受信装置で処理可能な映像データに変換して復号化器１０７に出力する。復号化器１０７は、入力された映像データをＲＳ復号して復号された映像データをデコーダ１０８に出力する。デコーダ１０８は、入力された映像データをデコードして出力する。
【００１７】
図２と図３によって、本発明の伝送装置の符号化器と復号化器の一実施形態を説明する。
図２（ａ）は、本発明の伝送装置の符号化器の一実施例の構成を示すブロック図である。図２（ｂ）は、本発明の伝送装置の復化器の一実施例の構成を示すブロック図である。２０１と２０２はＲＳ（リードソロモン）符号化器、２０３は遅延量補正部、２０４はＰＳＩ／ＰＣＲパケット検出部、２０５は切替部、２０６と２０７はＲＳ（リードソロモン）復号化部、２０８は遅延量補正部、２０９は誤り訂正比較部、２１０は切替部、２１１はスタッフィングデータ再生成部である。
図３（ａ）は、ＲＳ符号化器２０１によってパリティワードを付加された後のＴＳパケットの構成図である。また、図３（ｂ）は、ＲＳ符号化器２０２によってパリティワードを付加された後のＴＳパケットの構成図である。
【００１８】
図２（ａ）の送信装置のＲＳ符号化器において、ＴＳパケットａは、ＲＳ符号化器２０１及びＲＳ符号化器２０２に入力される。ＲＳ符号化器２０１は、ＴＳパケットａのダミーデータ領域１６ＢｙｔｅをパリティワードするＲＳ誤り訂正符号化を行い、ＲＳ誤り訂正符号化されたパケットデータをＴＳパケットｂとして遅延量補正部２０３を介して、ＰＳＩ／ＰＣＲパケット検出部２０４及び切替部２０５に出力する。
なお、図２（ａ）のＲＳ符号化器２０１は、映像及び音声等の情報パケットに対してＲＳ誤り訂正を行う。
【００１９】
ＲＳ符号化器２０２は、ＴＳパケットａのダミーデータ領域１６Ｂｙｔｅに加え、その前の９４Ｂｙｔｅを加えた１１０ＢｙｔｅをパリティワードとするＲＳ誤り訂正符号化を行い、ＴＳパケットｃを切替部２０５に出力する。
なお、図２（ａ）のＲＳ符号化器２０２は、ダミーデータ領域（１６Ｂｙｔｅ）、及び、その前に続くペイロード内のスタッフィングデータ領域をもパリティワード領域として利用可能なＰＳＩ（ Program Specific Information ）パケット（ＰＡＴ（ Program Association Table ）パケットやＰＭＴ（ Program Map Table ）パケット）及びＰＣＲ（ Program Clock Reference ）パケットに対してＲＳ誤り訂正を行う。
【００２０】
図３は、上記ＲＳ符号化器２０１及びＲＳ符号化器２０２にてパリティワードを付加した後のＴＳパケットの構成図である。また、図３の実施例では、ＰＳＩパケット及びＰＣＲパケットのペイロード内のスタッフィングバイト長が、ＴＳパケットのパケット長である１８８Ｂｙｔｅの半分（９４Ｂｙｔｅ）以上あることとし、リードソロモン符号化器２０２において付加するパリティワード数を１１０Ｂｙｔｅとしている。しかし、付加可能なパリティワード数は、上記ペイロード内のスタッフィングバイト数に応じて変更することが可能であり、上記数値に限定されない。
【００２１】
遅延量補正部３は、リードソロモン符号化部２０１からのＴＳパケットｂに対しリードソロモン符号化部２０２とのパリティワード数等の処理の違いによって生じる遅延量を補正し、遅延したＴＳパケットｄをＰＳＩ／ＰＣＲパケット検出部２０４及び切替部２０５に出力する。
ＰＳＩ／ＰＣＲパケット検出部２０４は、遅延量補正部２０３から入力されるＴＳパケットｄから、ＰＳＩパケット（ＰＡＴパケット若しくはＰＭＴパケット）またはＰＣＲパケットを検出し、当該パケットを検出した場合のみ選択フラグｅを切替部２０５の切替制御端子に出力する。
切替部２０５は、選択フラグｅが切替制御端子に入力された時に、ＲＳ符号化器２０２から入力されたＴＳパケットｃを選択して出力する。また、切替部２０５は、選択フラグｅが切替制御端子に入力されなかった時には、ＲＳ符号化器２０１から遅延量補正部２０３を介して入力されたＴＳパケットｄを選択して出力する。
【００２２】
上述のように、最後に切替部２０５からＴＳパケットｆが出力される。
即ち、切替部２０５は、ＲＳ符号化器に入力されるＴＳパケットが、ＰＳＩパケット（ＰＡＴパケット若しくはＰＭＴパケット）またはＰＣＲパケットであれば、ＲＳ符号化部２０２がＲＳ誤り訂正処理を行ったデータをＴＳパケットｆとして出力する。
また、切替部２０５は、ＲＳ符号化器に入力されるＴＳパケットが、ＰＳＩパケット（ＰＡＴパケット若しくはＰＭＴパケット）またはＰＣＲパケットでなければ、ＲＳ符号化部２０１がＲＳ誤り訂正処理を行ったデータを出力する。
本ＴＳパケットｆは、その後、送信部（図１参照）より、電波を用いた無線またはＡＴＭ（ Asynchronous Transfer Mode：非同期転送モード）網等の有線による伝送路を介して伝送される。
【００２３】
図２（ｂ）の受信装置のＲＳ復号化器において、受信されたＴＳパケットｇは、送信装置から出力されたＴＳパケットｆが伝送路を介して伝送されたものである。受信されたＴＳパケットｇは、ＲＳ復号化部２０６及びＲＳ復号化部２０７に入力される。
ＲＳ復号化部２０６は、図２（ａ）のＲＳ符号化器２０１に対応した復号化器である。ＲＳ復号化部２０６は、受信したＴＳパケットｇのダミーデータ領域１６Ｂｙｔｅをパリティワード領域のデータと参照し、本領域のデータをパリティワードとしてＲＳ誤り訂正復号化を行い、ＲＳ誤り訂正復号化下データをＴＳパケットｈとして遅延量補正部２０８及び誤り訂正数比較部２０９に出力する。
一方、ＲＳ復号化部２０７は、図２（ａ）ＲＳ符号化器２０２に対応した復号化器である。ＲＳ復号化部２０７は、受信したＴＳパケットｇのダミーデータ領域１６Ｂｙｔｅに加え、その前に続く９４Ｂｙｔｅを加えた１１０Ｂｙｔｅをパリティワード領域と参照し、本領域のデータをパリティワードとしてリードソロモン誤り訂正復号化を行い、ＲＳ誤り訂正復号化下データをＴＳパケットｉとして出力する。
【００２４】
また、ＲＳ復号化部２０６は、ＴＳパケットｈを出力すると同時に、誤り訂正したワード数ｋを誤り訂正数比較部２０９に出力する。同様に、ＲＳ復号化部２０７は、ＴＳパケットｉを出力すると同時に、訂正したワード数ｌを出力する。
なお、ＲＳ復号化部２０６では、参照パリティワード数が１６ワードであることから、誤り訂正可能な最大ワード数は８ワードである。従って、それ（誤り訂正可能な最大ワード数）を越えたワード数の誤りを訂正することはできない。
同様に、ＲＳ復号化部２０７では参照パリティワード数が１１０ワードであることから誤り訂正可能な最大ワード数は５５ワードとなる。こうして、前記リードソロモン復号化部２０７はリードソロモン復号化部６に対してワード数にして約７倍（“ＲＳ復号化部２０７の誤り訂正可能な最大ワード数”÷“ＲＳ復号化部２０６の誤り訂正可能な最大ワード数”＝５５÷８≒７）の誤り訂正能力を持つこととなる。
【００２５】
遅延量補正部２０８は、ＲＳ復号化部２０６から入力されるＴＳパケットｈに対し、ＲＳ復号化部２０７とのパリティワード数等の処理の違いによって生じる遅延量を補正し、遅延補正したＴＳパケットｊを切替部２１０に出力する。
誤り訂正数比較部２０９は、前記ＲＳ復号化部２０６から入力された誤り訂正したワード数ｋ、及び、ＲＳ復号化部２０７から入力された誤り訂正したワード数ｌとを比較し、下記の（１）〜（３）の実行順序で切替部２１０の切替制御を行う。
（１）誤り訂正したワード数ｋが０〜８ワードである時には、切替部２１０は、ＴＳパケットｊをスタッフィングデータ再生成部２１１に出力し、ワード数ｋが９ワード超である時には、次の（２）を実行する。
（２）誤り訂正したワード数ｌが０〜５５ワードである時には、切替部２１０は、ＴＳパケットｉをスタッフィングデータ再生成部２１１に出力し、ワード数ｌが５６ワード超である時には、次の（３）を実行する。
（３）切替部２１０は、ＴＳパケットｊをスタッフィングデータ再生成部２１１に出力する。
【００２６】
上記の切替制御（１）〜（３）において、さらに説明する。
（１）は、ダミーデータ領域１６ＢｙｔｅをＲＳパリティワードとして伝送された映像及び音声等の情報パケットに対して、ＲＳ誤り訂正を施されたＴＳパケットｊが出力される場合である。
（２）は、前記ダミーデータ領域１６Ｂｙｔｅに加えその前の９４Ｂｙｔｅを加えた１１０ＢｙｔｅをＲＳパリティワードとしてＴＳパケットｉが出力される条件である。即ち、（２）は、伝送されたＰＳＩパケット（ＰＡＴパケット若しくはＰＭＴパケット）またはＰＣＲパケットに、ＲＳ誤り訂正を施されたＴＳＰｉが出力される場合である。
（３）は、ＲＳ復号化部２０６及びＲＳ復号化部２０７のいずれにおいても、誤り訂正可能なワード数を超えた誤りを含んだＴＳパケットの場合であり、映像及び音声等の情報パケットなのかＰＳＩパケットまたはＰＣＲパケットのかの判断はつかない場合である。また、この場合には、いずれを選択しても誤りワードを含んだ出力となってしまう。ここで、ＰＳＩパケット（ＰＡＴパケット及びＰＭＴパケット）並びにＰＣＲパケットは、ＭＰＥＧ２−ＴＳの規格上１００ｍｓ以内に１回伝送すればよいパケットであるため、映像及び音声等の情報パケットと比較すると極めて発生頻度が低いパケットとなっている。よって、この場合、発生確率の高い映像及び音声等の情報パケットと判断し、ＴＳパケットｊを出力するようにした。
【００２７】
最後にスタッフィングデータ再生成部２１１は、切替部２１０から出力されたＴＳパケットｎより、ＰＳＩパケット若しくはびＰＣＲパケットを検出し、検出されたパケットがＰＳＩパケット（ＰＡＴパケット若しくはＰＭＴパケット）またはＰＣＲパケットである場合には、当該パケットのパリティワードとして差換えられたペイロード内のスタッフィングデータ領域へ元の値を挿入し、再度元のＴＳパケットｏを再生成し出力する。
【００２８】
図４によって、ＰＳＩパケット（ＰＡＴパケット及びＰＭＴパケット）並びに、ＰＣＲパケットのデータ構成を説明する。図４は、ＭＰＥＧ２形式のＴＳ信号と各種パケットを説明するための図である。
図４（ａ）は、ＴＳ信号が、各種のパケットで構成された所定の順序で伝送されることを示す図である。所定の順序及び所定のパケット構成は、伝送装置若しくは伝送システム毎に一定である。なお、各種類のパケットそれぞれのフレーム長は、すべて同一の長さ（１８８Ｂｙｔｅ＋ダミーデータ領域（１６Ｂｙｔｅ）＝２０４Ｂｙｔｅ）である。
図２（ｂ）は、ＴＳパケットのフレーム構成を示す図である。ＴＳパケットは、先頭にヘッダ（４Ｂｙｔｅ）、次にペイロード（１８４Ｂｙｔｅ）、最後にダミーデータ（１６Ｂｙｔｅ）という順に構成される。
図２（ｃ）は、ＰＡＴパケットのフレーム構成を示す図である。ＰＡＴパケットは、先頭にヘッダ（４Ｂｙｔｅ）、次にテーブルヘッダ（８Ｂｙｔｅ）、次にプログラムナンバー、次にスタッフィングデータ（９６Ｂｙｔｅ以上）、最後にダミーデータ（１６Ｂｙｔｅ）という順に構成される。
図２（ｄ）は、ＰＭＴパケットのフレーム構成を示す図である。ＰＭＴパケットは、先頭にヘッダ（４Ｂｙｔｅ）、次にテーブルヘッダ（８Ｂｙｔｅ）、次にエレメンタリＰＩＤ、次にスタッフィングデータ（９６Ｂｙｔｅ以上）、最後にダミーデータ（１６Ｂｙｔｅ）という順に構成される。
図２（ｅ）は、ＰＣＲパケットのフレーム構成を示す図である。ＰＣＲパケットは、先頭にヘッダ（４Ｂｙｔｅ）、次にＰＣＲヘッダ（８Ｂｙｔｅ）、次にスタッフィングデータ（１７６Ｂｙｔｅ以上）、最後にダミーデータ（１６Ｂｙｔｅ）という順に構成される。
【００２９】
また、ＰＡＴパケットの最小データ数は、１ program のみのＴＳ信号の場合（即ち、含まれるＰＭＴパケット数が１の場合）、２１Ｂｙｔｅである。この場合のＰＡＴパケットのフレーム構成は、例えば、先頭のヘッダが４Ｂｙｔｅ、次にアダプテーションフィールドが１Ｂｙｔｅ、次に program ナンバー等の宣言記述が１６Ｂｙｔｅである。
また、ＰＭＴパケットの最小データ数は、program 中にビデオストリームが１つだけ（オーディオパケットを含まず）の場合、２９Ｂｙｔｅである。この場合のＰＭＴパケットのフレーム構成は、例えば、先頭のヘッダが４Ｂｙｔｅ、次にアダプテーションフィールドが１Ｂｙｔｅ、次にビデオやＰＣＲパケットのＰＩＤ等の宣言記述が２４Ｂｙｔｅである。
なお、これらの他のパケットとして、ビデオ（ストリーム）パケット、オーディオパケット、データパケット等があるが、省略する。これらは、以下に述べる第１の種類のパケットに分類される。
【００３０】
上記各種のパケットについて、第１の種類と第２の種類の２種に分類する。
第１の種類のパケットは、ビデオパケット、オーディオパケット、データパケットである。
第２の種類のパケットは、少なくともＰＳＩパケットとＰＣＲパケットである。ＰＳＩパケットには、ＰＡＴパケットとＰＭＴパケット等がある。これらの第２の種類のパケットは、１００ｍｓ以下の間隔でＴＳ信号に挿入される。
ＰＳＩパケットは、画像や音声とは別の情報であり、番組（ Program ）の構成を示すテーブル情報である。ＰＡＴパケットは、ＴＳ内に含まれる番組一覧をＰＭＴのＰＩＤ一覧として関連付けしたテーブルである。またＰＭＴパケットは、当該ＴＳに含まれる画像や音声などの各ＰＩＤを格納するテーブルである。
ＰＣＲパケットは、受信装置のデコーダのシステムクロックと、送信装置のエンコーダのシステムクロックを同期させるためのタイムスタンプである。
【００３１】
上述の本発明の実施例を、さらに換言すると、ＴＳパケットにＲＳ誤り訂正用パリティワードを付加して伝送する伝送方法、伝送装置、または伝送システムにおいて、ＴＳパケット内に含まれる映像及び音声等の情報パケットには、後に続くダミーデータ領域のみをＲＳ誤り訂正用パリティワード領域とする誤り訂正を施し、ＰＳＩパケット及びＰＣＲパケットへは前記ダミーデータ領域に加えペイロード内のスタッフィングデータ領域もＲＳ誤り訂正用パリティワード領域とするパリティワードを付加して伝送するものである。
【００３２】
好ましくは、上記伝送方法、伝送装置、または伝送システムにおいて、送信装置側のＲＳ符号化器では、ＴＳパケット内のダミーデータ領域へＲＳ誤り訂正用パリティワードを付加する第１のＲＳ符号化手段と、当該ダミーデータ領域にペイロード内のスタッフィングデータ領域を加えた第１のＲＳ符号化手段よりも長いパリティワードを付加する第２のＲＳ符号化手段と、当該第１及び第２のＲＳ符号化手段との処理時間の違いを補正する遅延量補正手段と、第１のＲＳ符号化手段よりのＴＳパケットよりＳＰＩパケット及びＰＣＲパケットを検出する手段と、当該ＳＰＩパケット及びＰＣＲパケットを検出した場合のみ第２のＲＳ符号化手段よりのＴＳパケットを送出し、それら以外の場合は遅延量補正手段により遅延量を補正された第１のＲＳ符号化手段よりのＴＳパケットを送出する切替え手段を具備するものである。
【００３３】
また好ましくは、上記伝送方法、伝送装置、または伝送システムにおいて、受信装置側のＲＳ復号化器では、ＲＳ符号化器より送出されたＴＳパケットを受信し、ＴＳパケット内のダミーデータ領域へ付加されたパリティワードよりＲＳ誤り訂正を行う第１のＲＳ復号化手段と、当該ダミーデータ領域にペイロード内のスタッフィングデータ領域を加えた長さのパリティワードより誤り訂正を行う第２のＲＳ復号化手段と、当該第１及び第２のＲＳ復号化手段との処理時間の違いを補正する遅延量補正手段と、第１及び第２のＲＳ復号化手段での誤り訂正を施したワード数によって遅延量補正手段により遅延量を補正された第１のＲＳ復号化手段よりのＴＳパケット又は第２のＲＳ復号化手段よりのＴＳパケットを出力するかを判別して出力する切替え手段と、当該切替え出力されたＴＳパケットよりＳＰＩパケット又はＰＣＲパケットを検出しペイロード内のスタッフィングデータ領域へ付加されたＲＳパリティワードを元のスタッフィングデータ情報へ置換え元のＴＳパケットを再生成して出力する手段を具備するものである。
【００３４】
さらに好ましくは、上記伝送方法、伝送装置、または伝送システムにおいて、受信側のＲＳ復号化器における切替え手段は、第１のＲＳ復号化手段での誤り訂正を施したワード数が当該第１のＲＳ復号化手段でのパリティワード数の半分以下の場合は第１のＲＳ復号化手段よりのＴＳパケットを出力し、第２のＲＳ復号化手段での誤り訂正を施したワード数が当該第２のＲＳ復号化手段でのパリティワード数の半分以下の場合は第２のＲＳ復号化手段よりのＴＳパケットを出力し、上記以外の場合は優先的に第１のＲＳ復号化手段よりのＴＳパケットを出力するものである。
【００３５】
上記実施例によれば、ビデオデータ、オーディオデータ、若しくは数値データの復号に必要なパケットデータ、例えば、ＰＡＴパケット、ＰＭＴパケット、及びＰＣＲパケットのエラー訂正能力を高くすることが可能となり、この結果、伝送データの信頼性が向上する。
【符号の説明】
【００３６】
１Ｔ：ＭＰＥＧエンコーダ、  ２：ＤＶＢ−ＥＮＣ、  ３Ｔ：変調部、  ４−１：送信高周波部、  ４−２：送信アンテナ、  ５：伝送路、  ６−１：受信アンテナ、  ６−２：受信高周波部、  ３Ｒ：復調部、  ８：ＤＶＢ−ＤＥＣ、  ２Ｒ：ＭＰＥＧデコーダ、  ２−１：Ｂ８ｈ置換部、  ２−２：エネルギー拡散部、  ２−３：ＲＳ符号化部、  ２−４：インタリーブ部、  ８−１：４７ｈ検出部、  ８−２：逆インタリーブ部、  ８−３：ＲＳ訂正部、  ８−４：エネルギー逆拡散部、  １０１：エンコーダ、  １０２：ＲＳ符号化器、  １０３：送信部、  １０６：受信部、  １０７：復号化器、  １０８：デコーダ、  ２０１、２０２：ＲＳ符号化器、  ２０３：遅延量補正部、  ２０４：ＰＳＩ／ＰＣＲパケット検出部、  ２０５：切替部、  ２０６、２０７：ＲＳ復号化部、  ２０８：遅延量補正部、  ２０９：誤り訂正比較部、  ２１０：切替部、  ２１１：スタッフィングデータ再生成部。
【図１】
2011109316.tif 000003
【図２】
2011109316.tif 000004
【図３】
2011109316.tif 000005
【図４】
2011109316.tif 000006
【図５】
2011109316.tif 000007
【図６】
2011109316.tif 000008
【図７】
2011109316.tif 000009